(57)【要約】    【課題】      複数台の無停電電源装置を２組の給電母線から選択された一方の給電母線に接続し、この選択された給電母線の負荷機器に電力を供給する無停電電源システムに好適な制御方法を提供する    【解決手段】  ＵＰＳ１０の電圧補正回路１６を第１切換盤６０および第２切換盤７０での回路遮断器それぞれの状態に連動した切換動作を行うスイッチ１６ａ，１６ｂと、このスイッチ１６ａ，１６ｂにより選択されたそれぞれの出力値の間での乗算演算を行う乗算器１６ｃと、従来の電圧補正回路１５と同一構成，機能を有する横流抑制回路１６ｄと、乗算器１６ｃおよび横流抑制回路１６ｄそれぞれの出力値を加算演算し、この加算演算値を電圧補正値として図３に示したＵＰＳ１０の制御回路１４に出力する加算器１６ｅとから構成することにより、ＵＰＳ１０，ＵＰＳ２０それぞれは選択された給電母線までの電圧降下を補正しつつ並列運転することができ、給電状態にある前記給電母線での端子電圧を所望の値で維持することができる。【選択図】        図１
2008099469.tif 000002
【特許請求の範囲】
【請求項１】
複数台の無停電電源装置を２組の給電母線から選択された一方の給電母線に接続し、この選択された給電母線の負荷機器に電力を供給する無停電電源システムにおいて、
前記無停電電源装置それぞれは該電源装置から前記選択された給電母線までの電圧降下を補正しつつ並列運転することを特徴とする無停電電源システムの制御方法。
【請求項２】
請求項１に記載の無停電電源システムの制御方法において、
前記無停電電源装置から接続された前記給電母線に流れる電流それぞれに基づいて、前記電圧降下を導出するようにしたことを特徴とする無停電電源システムの制御方法。
【発明の詳細な説明】
【技術分野】
【０００１】
この発明は、複数台の無停電電源装置を２組の給電母線から選択された一方の給電母線に接続し、この選択された給電母線の負荷機器に電力を供給する無停電電源システムの制御方法に関する。
【背景技術】
【０００２】
図２は、この種の無停電電源システムとして、２台の無停電電源装置（以下ではＵＰＳと略記する）からなる無停電電源システムの回路構成図である。
【０００３】
図２においては、第１切換盤６０の回路遮断器６１と第２切換盤７０の回路遮断器７１とが閉路し、第１切換盤６０の回路遮断器６２と第２切換盤７０の回路遮断器７２とが開路していることで、Ａ系給電母線盤８０を介したＡ系負荷機器１００には並列運転しているＵＰＳ１０とＵＰＳ２０とから交流電力が供給され、また、第１切換盤６０の回路遮断器６２と第２切換盤７０の回路遮断器７２とが閉路し、第１切換盤６０の回路遮断器６１と第２切換盤７０の回路遮断器７１とが開路していることで、Ｂ系給電母線盤９０を介したＢ系負荷機器２００には並列運転しているＵＰＳ１０とＵＰＳ２０とから交流電力が供給される。
【０００４】
図３は、上述の給電動作をする互いに同様構成のＵＰＳ１０，ＵＰＳ２０のうちのＵＰＳ１０の回路構成図であり、入力される商用電源などの交流電力を直流電力に変換しつつ後段に供給するためのコンバータ回路１１と、前記商用電源などが停電のときに後段に直流電力を供給する蓄電池１２と、前記何れかの直流電力を所望の周波数・電圧の交流電力に変換するインバータ回路１３と、コンバータ回路１１とインバータ回路１３とを所望の動作状態に制御する制御回路１４と、このＵＰＳ１０がＵＰＳ２０と並列運転する際に流れる横流などを抑制するための後述の電圧補正回路１５または電圧補正回路１６とから構成されている。
【０００５】
図４は、この発明の従来例としてのＵＰＳ１０における電圧補正回路１５の回路構成図であり、この電圧補正回路１５はＵＰＳ１０へ指令される分担電流と第１切換盤６０の電流検出器６３または電流検出器６４から得られるＵＰＳ１０の出力電流との差である横流を求める減算演算器１５ａと、前記横流の無効電力成分を演算するために周知の技術を用いて形成された無効電力演算器１５ｂとから構成され、この無効電力演算器１５ｂが出力する前記無効電力成分に基づく電圧補正値により、図３に示した制御回路１４を介してＵＰＳ１０の出力電圧値を補正することで前記横流を抑制するようにしている。
【特許文献１】特開２００４−２３９２２号公報
【発明の開示】
【発明が解決しようとする課題】
【０００６】
図２に示した無停電電源システムにおいて、例えば、Ａ系負荷機器１００が常用負荷機器、Ｂ系負荷機器２００が予備負荷機器の場合では、Ａ系給電母線盤８０とＡ系負荷機器１００とが同一フロアーに設置され、また、Ｂ系給電母線盤９０とＢ系負荷機器２００とが、メインテナンスの都合上などから、Ａ系給電母線盤８０とＡ系負荷機器１００とは別のフロアーに設置されていることがある。
【０００７】
上述のような機器配置の場合、ＵＰＳ１０とＵＰＳ２０の設置場所などに起因して、ＵＰＳ１０からＡ系給電母線盤８０までの配線インピーダンスとＵＰＳ２０からＡ系給電母線盤８０までの配線インピーダンスとが異なることがあり、同様に、ＵＰＳ１０からＢ系給電母線盤９０までの配線インピーダンスとＵＰＳ２０からＢ系給電母線盤９０までの配線インピーダンスとが異なることがあった。このような場合、それぞれの配線インピーダンスがほぼ等しいことが前提の図４に示した電圧補正回路１５では、給電状態にあるＡ系給電母線盤８０またはＢ系給電母線盤９０での端子電圧が所望の値を維持できないという問題点があった。
【０００８】
また、上述のように給電状態により配線インピーダンスが異なるときには、特許文献１に記載のような回路構成の電圧補正回路が使用できないという問題点もあった。
【０００９】
この発明の目的は、上記問題点を解消する無停電電源システムの制御方法を提供することにある。
【課題を解決するための手段】
【００１０】
この第１の発明は、複数台の無停電電源装置を２組の給電母線から選択された一方の給電母線に接続し、この選択された給電母線の負荷機器に電力を供給する無停電電源システムにおいて、
前記無停電電源装置それぞれは該電源装置から前記選択された給電母線までの電圧降下を補正しつつ並列運転することを特徴とした無停電電源システムの制御方法を用いる。
【００１１】
また第２の発明は、前記第１の発明の無停電電源システムの制御方法において、
前記無停電電源装置から接続された前記給電母線に流れる電流それぞれに基づいて、前記電圧降下を導出するようにしたことを特徴とする。
【発明の効果】
【００１２】
この発明によれば、前記無停電電源装置それぞれから前記選択された給電母線までの電圧降下を補正しつつ該無停電電源装置を並列運転することにより、給電状態にある前記給電母線での端子電圧を所望の値にすることができる。
【発明を実施するための最良の形態】
【００１３】
図１は、この発明の実施例としての図３に示した電圧補正回路１６の詳細回路構成図であり、この電圧補正回路１６は図２に示した第１切換盤６０および第２切換盤７０での回路遮断器それぞれの状態に連動した切換動作を行うスイッチ１６ａ，１６ｂと、このスイッチ１６ａ，１６ｂにより選択されたそれぞれの出力値の間での乗算演算を行う乗算器１６ｃと、先述の図４で示した電圧補正回路１５と同一構成，機能を有する横流抑制回路１６ｄと、乗算器１６ｃおよび横流抑制回路１６ｄそれぞれの出力値を加算演算し、この加算演算値を電圧補正値として図３に示したＵＰＳ１０の制御回路１４に出力する加算器１６ｅとから構成されている。
【００１４】
図１に示した回路構成の電圧補正回路１６の動作を、図２に示した回路構成図を参照しつつ、以下に説明する。
【００１５】
例えば、第１切換盤６０の回路遮断器６１と第２切換盤７０の回路遮断器７１とが閉路し、第１切換盤６０の回路遮断器６２と第２切換盤７０の回路遮断器７２とが開路しているときは、Ａ系給電母線盤８０を介したＡ系負荷機器１００にＵＰＳ１０とＵＰＳ２０とから所望の交流電力が供給されるが、このとき、スイッチ１６ａはＡ系母線電流すなわち第１切換盤６０の電流検出器６３の検出値を選択し、スイッチ１６ｂはＡ系補正ゲインすなわちＵＰＳ１０からＡ系給電母線盤８０までの配線インピーダンス相当値を選択することにより乗算器１６ｃの出力値は、ＵＰＳ１０からＡ系給電母線盤８０までの電圧降下に対応した値になっている。
【００１６】
また、このとき、横流抑制回路１６ｄは第１切換盤６０の電流検出器６３の検出値と第２切換盤７０の電流検出器７３の検出値とＵＰＳ１０，ＵＰＳ２０それぞれの定格出力容量とから導出されるＵＰＳ１０の分担電流と、スイッチ１６ａで選択された電流検出器６３の検出電流と差である横流のうちの無効電力成分に基づいて該横流を抑制する電圧補正値を導出している。
【００１７】
従って、加算器１６ｅによる乗算器１６ｃおよび横流抑制回路１６ｄそれぞれの出力値の加算演算値を新たな電圧補正値として、図３に示した制御回路１４を介してＵＰＳ１０の出力電圧値を補正することでこのＵＰＳ１０は、ＵＰＳ１０からＡ系給電母線盤８０の給電母線までの電圧降下を補正しつつ、ＵＰＳ１０とＵＰＳ２０との間に流れる横流を抑制することができる。
【００１８】
同様に、このときのＵＰＳ２０は、ＵＰＳ２０からＡ系給電母線盤８０の給電母線までの電圧降下を補正しつつ、ＵＰＳ１０とＵＰＳ２０との間に流れる横流を抑制する動作を行うことで、ＵＰＳ１０とＵＰＳ２０とから並列給電状態にあるＡ系給電母線盤８０の給電母線での端子電圧も所望の値を維持することができる。
【図面の簡単な説明】
【００１９】
【図１】この発明の実施例を示す電圧補正回路の構成図
【図２】無停電電源システムの回路構成図
【図３】図２の部分詳細回路構成図
【図４】従来例を示す電圧補正回路の構成図
【符号の説明】
【００２０】
１０，２０‥無停電電源装置、１１‥コンバータ回路、１２‥蓄電池、１３‥インバータ回路、１４‥制御回路、１５，１６‥電圧補正回路、６０‥第１切換盤、６１，６２‥回路遮断器、６３，６４‥電流検出器、７０‥第２切換盤、７１，７２‥回路遮断器、７３，７４‥電流検出器、８０‥Ａ系給電母線盤、９０‥Ｂ系給電母線盤、１００‥Ａ系負荷機器、２００‥Ｂ系負荷機器。
【図１】
2008099469.tif 000003
【図２】
2008099469.tif 000004
【図３】
2008099469.tif 000005
【図４】
2008099469.tif 000006